(57)【要約】【課題】集塵パックの着脱が容易に行えるようにする。【解決手段】クリーナ１において、集塵室４０に、紙パック６５を保持可能で、集塵室４０内に収容される収容位置と、開口４１から前方へ斜め上向きに突出する突出位置との間で移動可能なホルダ４８を設けて、蓋４２とホルダ４８との間に、蓋４２による開口４１の開放動作に連動してホルダ４８を突出位置へ移動させ、開口４１の閉塞動作に連動してホルダ４８を収容位置へ移動させる連係アーム７０を設けた。【選択図】図４
2016087309.tif 000002
【特許請求の範囲】
【請求項１】
前端に吸込口を有する本体と、
前記本体内に設けられてモータ駆動によって回転するファンと、
前記本体内で前記吸込口と前記ファンとの間に設けられ、集塵パックを着脱可能に収容する集塵部と、
前記本体に設けられて前記集塵部に設けた開口を開閉する蓋と、を含んでなるクリーナであって、
前記集塵部に、前記集塵パックを保持可能で、前記集塵部内に収容される収容位置と、前記開口から前方へ斜め上向きに突出する突出位置との間で移動可能なホルダを設けて、前記蓋と前記ホルダとの間に、前記蓋による前記開口の開放動作に連動して前記ホルダを前記突出位置へ移動させ、前記開口の閉塞動作に連動して前記ホルダを前記収容位置へ移動させる連係手段を設けたことを特徴とするクリーナ。
【請求項２】
前記集塵パックは、透孔を有する台紙と、前記台紙に接合した袋状のフィルタ部とからなり、前記ホルダは、前記収容位置で前記台紙を前後から挟持して前記透孔を前記吸込口の後方に位置させる前支持部と後支持部とを前端に有し、前記前支持部は、下端が前記ホルダの前端へ回転可能に軸着されて前記突出位置では前記台紙から前方へ離れる前傾姿勢に移動可能であることを特徴とする請求項１に記載のクリーナ。
【請求項３】
前記前支持部の後面に、前記台紙の前記透孔の下半分に沿って貫通する円弧状の受けリブを設けたことを特徴とする請求項２に記載のクリーナ。
【請求項４】
前記蓋に、前記開口の閉塞位置で前記後支持部に当接して前記後支持部を前方へ押圧する押圧部を設けたことを特徴とする請求項２又は３に記載のクリーナ。
【請求項５】
前記押圧部に、前記後支持部の外側面に当接して前記後支持部の外側への移動を規制する規制部を設けたことを特徴とする請求項４に記載のクリーナ。
【請求項６】
前記蓋に、前記開口の閉塞動作の際に前記本体側に当接して前記開口の閉塞を阻止する第１の位置と、前記本体側と当接せずに前記開口の閉塞を許容する第２の位置とに移動可能な干渉体を設けると共に、前記干渉体を付勢手段によって前記第１の位置へ付勢して、前記ホルダに前記集塵パックが保持されている際には、前記台紙が前記干渉体に当接して前記第２の位置へ移動させることを特徴とする請求項２乃至５の何れかに記載のクリーナ。
【発明の詳細な説明】
【技術分野】
【０００１】
本発明は、吸い込んだ塵埃を紙パック等の集塵パックに貯留し、集塵パックの取り外しによって塵埃を廃棄可能とするクリーナに関する。
【背景技術】
【０００２】
クリーナは、吸込口を有する本体内に、モータ及びファンを設けると共に、吸込口とファンとの間の集塵部に、吸込口側に開口して袋状のフィルタを有する紙パック等の集塵パックを着脱可能に収容して、ファンの回転により、吸込口から吸い込んだ塵埃を集塵パックに集塵可能としている。集塵パックに貯留した塵埃は、本体に設けた蓋体を開いて集塵パックを取り出すことで集塵パックごと廃棄できる。
この場合、集塵部内で横向きに収容される集塵パックを上方へ引っ張って取り出す作業となるため、集塵パックの取り出しがやりにくく、取り出す際に開口から塵埃がこぼれたりするおそれがある。そこで、特許文献１には、ダストカバーに腕部を一体に設けて、ダストカバーを開く際には腕部で紙フィルタを押し上げることで、裏向きにした際に紙フィルタを直接ゴミ箱に投入できるようにした発明が開示されている。
【先行技術文献】
【特許文献】
【０００３】
【特許文献１】特開平５−９５８６９号公報
【発明の概要】
【発明が解決しようとする課題】
【０００４】
しかし、特許文献１の発明においては、紙フィルタを僅かに平行移動させたに過ぎず、紙フィルタがリブ等に引っ掛かってスムーズに取り出せないおそれは依然として残る。これは紙フィルタの装着の際も同様である。
【０００５】
そこで、本発明は、集塵パックの着脱を容易に行うことができるクリーナを提供することを目的としたものである。
【課題を解決するための手段】
【０００６】
上記目的を達成するために、請求項１に記載の発明は、前端に吸込口を有する本体と、本体内に設けられてモータ駆動によって回転するファンと、本体内で吸込口とファンとの間に設けられ、集塵パックを着脱可能に収容する集塵部と、本体に設けられて集塵部に設けた開口を開閉する蓋と、を含んでなるクリーナであって、集塵部に、集塵パックを保持可能で、集塵部内に収容される収容位置と、開口から前方へ斜め上向きに突出する突出位置との間で移動可能なホルダを設けて、蓋とホルダとの間に、蓋による開口の開放動作に連動してホルダを突出位置へ移動させ、開口の閉塞動作に連動してホルダを収容位置へ移動させる連係手段を設けたことを特徴とするものである。
請求項２に記載の発明は、請求項１の構成において、集塵パックは、透孔を有する台紙と、台紙に接合した袋状のフィルタ部とからなり、ホルダは、収容位置で台紙を前後から挟持して透孔を吸込口の後方に位置させる前支持部と後支持部とを前端に有し、前支持部は、下端がホルダの前端へ回転可能に軸着されて突出位置では台紙から前方へ離れる前傾姿勢に移動可能であることを特徴とするものである。
請求項３に記載の発明は、請求項２の構成において、前支持部の後面に、台紙の透孔の下半分に沿って貫通する円弧状の受けリブを設けたことを特徴とするものである。
請求項４に記載の発明は、請求項２又は３の構成において、蓋に、開口の閉塞位置で後支持部に当接して後支持部を前方へ押圧する押圧部を設けたことを特徴とするものである。
請求項５に記載の発明は、請求項４の構成において、押圧部に、後支持部の外側面に当接して後支持部の外側への移動を規制する規制部を設けたことを特徴とするものである。
請求項６に記載の発明は、請求項２乃至５の何れかの構成において、蓋に、開口の閉塞動作の際に本体側に当接して開口の閉塞を阻止する第１の位置と、本体側と当接せずに開口の閉塞を許容する第２の位置とに移動可能な干渉体を設けると共に、干渉体を付勢手段によって第１の位置へ付勢して、ホルダに集塵パックが保持されている際には、台紙が干渉体に当接して第２の位置へ移動させることを特徴とするものである。
【発明の効果】
【０００７】
請求項１に記載の発明によれば、蓋を開けた際にはホルダが集塵パックと共に開口から突出する突出位置へ自動的に移動するので、集塵パックの着脱を容易に行うことができ、使い勝手に優れたものとなる。
請求項２に記載の発明によれば、請求項１の効果に加えて、集塵パックの台紙を支持する前支持部が突出位置では前傾姿勢に変更可能であるので、台紙をスムーズに前支持部と後支持部との間に出し入れできる。よって、集塵パックの着脱に係る操作性がより良好となる。
請求項３に記載の発明によれば、請求項２の効果に加えて、前支持部に受けリブを設けたことで、前支持部と台紙との間への塵埃の侵入を防止でき、集塵パックで確実に集塵できる。
請求項４に記載の発明によれば、請求項２又は３の効果に加えて、押圧部の採用により、台紙と前支持部との密着性が高まって集塵効率の向上に繋がる。
請求項５に記載の発明によれば、請求項４の効果に加えて、規制部を併せて設けたことで、後支持部を確実に台紙へ押圧でき、台紙の脱却のおそれを低減できる。
請求項６に記載の発明によれば、請求項２乃至５の何れかの効果に加えて、干渉体の採用により、集塵パックが未装着状態での蓋の閉塞を阻止してクリーナの使用を確実に防止できる。
【図面の簡単な説明】
【０００８】
【図１】クリーナの斜視図である。
【図２】クリーナの平面図である。
【図３】図２のＡ−Ａ線断面図である。
【図４】蓋を開放位置としたクリーナの斜視図である（紙パックあり）。
【図５】蓋を開放位置とした集塵ハウジング部分の平面図である（紙パックあり）。
【図６】蓋を開放位置とした集塵ハウジング部分の縦断面図である（紙パックあり）。
【図７】蓋を開放位置とした集塵ハウジング部分の平面図である（紙パックなし）。
【図８】蓋を開放位置とした集塵ハウジング部分の縦断面図である（紙パックなし）。
【図９】後支持板及び押圧片の位置での集塵ハウジング部分の縦断面図である（紙パックあり）。
【図１０】紙パックがない状態で蓋を閉じた集塵ハウジング部分の縦断面図である。
【図１１】蓋を開放位置としたクリーナの側面図である（紙パック取り出し状態）。
【発明を実施するための形態】
【０００９】
以下、本発明の実施の形態を図面に基づいて説明する。
図１は、クリーナの一例を示す斜視図、図２は平面図、図３はＡ−Ａ線断面図である。クリーナ１は、左右の半割ハウジング２ａ，２ｂをネジ３，３・・によって組み付けてなる本体としてのハウジング２を有する。このハウジング２には、前後方向（図１の右側を前方とする。）の略中央に位置するモータハウジング４と、モータハウジング４の後部につながるグリップハウジング５と、モータハウジング４の前部につながる集塵ハウジング６と、グリップハウジング５につながるバッテリ保持ハウジング７と、がそれぞれ形成されている。集塵ハウジング６の前端に、前端に吸込口８ａを開口する吸込筒８が設けられている。４ａは、モータハウジング４の底面で左右方向に設けられて床面等に定置した際に接地する接地部である。
【００１０】
バッテリ保持ハウジング７には、電源となるバッテリーパック９が装着されている。このバッテリーパック９は、上面左右に設けたスライドレール１０，１０をバッテリ保持ハウジング７の左右に設けたガイドレール１１，１１間に後方から嵌合させて前方へスライドさせることで装着されるもので、装着状態でバッテリ保持ハウジング７に設けた端子台１２にバッテリーパック９に設けた図示しない端子が結合されて両者が電気的に接続される。この状態でバッテリーパック９はハウジング２の最後尾に位置して底面と接地部４ａの底面とが略同一面上に位置する。バッテリーパック９の後面には、指での操作によってバッテリ保持ハウジング７から取り外し可能とするボタン１３が設けられて、その上部でグリップハウジング５とバッテリ保持ハウジング７との間には、ストラップ１４が設けられている。
【００１１】
一方、モータハウジング２内には、制御回路基板１５とモータ１６とがそれぞれ収容されている。まず制御回路基板１５は、半割ハウジング２ａ，２ｂの内面にそれぞれ立設された受け座１７，１７によってモータ１６の上方で保持され、図示しないバッテリ電源線を介して端子台１２に電気的に接続されている。また、制御回路基板１５は、グリップハウジング５の上部に設けられた操作スイッチ１８と、図示しないスイッチ用リード線を介して電気的に接続されている。この操作スイッチ１８は、前側がＯＮボタン１９、後側がＯＦＦボタン２０となる押圧式のもので、操作スイッチ１８の前方には、バッテリーの残量を知らせる報知用ＬＥＤ２１と、照明用ＬＥＤ２２とが収容されて、それぞれリード線によって制御回路基板１５と電気的に接続されている。２３，２３は各ＬＥＤの照射側に設けられるレンズである。
【００１２】
モータ１６は、筒状のケース２４を有する直流モータで、ケース２４の前方に回転軸２５を突設する一方、ケース２４の後端に端子２６，２６を突設して、図示しないモータ用リード線を介して制御回路基板１５に電気的に接続されている。
また、ケース２４は、その前方に配置されるベース２７に連結されている。このベース２７は、ケース２４よりもやや大径の内リング２８と、その内リング２８よりも大径の外リング２９と、内リング２８と外リング２９とを同心で連結する渦巻き状のリブ３０，３０・・と、内リング２８の前方を閉塞する閉塞板３１とを有する。ここではケース２４を内リング２８に後方から嵌合させた状態で閉塞板３１の前方からネジ３２，３２で固定することで、ケース２４が閉塞板３１に当接した状態で連結される。この状態で、モータ１６の回転軸２５は閉塞板３１を貫通して前方へ突出する。閉塞板３１の前方で回転軸２５の前端には、ファン３３が固着されている。
【００１３】
さらに、ベース２７の前方には、バッフル体３４が設けられている。このバッフル体３４は、ファン３３を前方から覆うカップ状で、後端に形成した大径部３５をベース２７の外リング２９に嵌合させることで、ベース２７と連結される。バッフル体３４の前方中央には、図示しない通気口を形成した突出部３６が形成されている。
こうしてモータ１６を組み込んだベース２７及びバッフル体３４からなる送風ユニットＵは、ベース２７の外リング２９の周面及びバッフル体３４の大径部３５の周面を覆うゴムカバー３７を介してモータハウジング４内で弾性保持されている。モータ１６の後方下部でモータハウジング４の左右には、複数の排気口３８，３８・・が形成され、半割ハウジング２ａ，２ｂの内面には、排気口３８を内側から覆うスポンジ板３９が取り付けられている。
【００１４】
集塵ハウジング６は、内部に集塵部としての集塵室４０を形成してその上部には、蓋４２によって開閉可能な開口４１が形成されている。蓋４２は、集塵ハウジング６の上部後方に配された軸４３を中心に回転可能に連結されてトーションスプリング４４を介して開口４１の開放側へ回転付勢されるもので、蓋４２を前方へ倒伏させると、蓋４２の前端に設けた係止片４５が開口４１の前方でハウジング２に設けたストッパ４６に係止して開口４１を閉塞する（閉塞位置）。集塵ハウジング６の前端には、ストッパ４６を後方へ突出付勢するボタン４７が設けられており、ボタン４７を下方へ押し込み操作すると、ストッパ４６が前方へ退避し、係止片４５の係止が解除された蓋４２が図４〜６に示すように後方へ回転して上向きに起立し、開口４１を開放する（開放位置）。
【００１５】
そして、集塵室４０には、紙パック６５を保持するホルダ４８が設けられている。このホルダ４８は、図７，８にも示すように、前後に長い矩形状の下板４９と、下板４９の前端左右に立設される後支持部としての一対の後支持板５０，５０と、下板４９の前端に連結される前支持部としての前支持板５１とからなる。下板４９は、中央に前後方向の四角穴５２（但し丸形や三角形等でもよく、形状や大きさは問わない。）を有すると共に、四角穴５２を除く部分は中空状に形成されて、中空部分には通気性を維持すると共に軽量化と所望の強度確保とのための複数の六角穴５３，５３・・がハニカム状に穿設されている。
【００１６】
また、下板４９の後端左側には、後軸５４が横向きに突設されて、この後軸５４が、左側の半割ハウジング２ａの内面に凹設されたガイド溝５５に挿入している。このガイド溝５５は、後端が半割ハウジング２ａの底面に近い最下位置で、そこから前方へ行くに従って上昇して前端が最上位置となる傾斜状で、且つ下方へ膨らむ円弧状に形成されている。
さらに、後支持板５０は、下板４９の前端から側縁に沿って前後方向に立設され、下部には、下板４９と同様に通気性を維持するための複数の六角穴５６，５６・・がハニカム状に穿設されている。
【００１７】
前支持板５１は、正面視が略正方形状で、下端縁から後方へ直角に折曲した折曲部５７の先端に設けた前軸５８が、下板４９の前端に設けた受け部５９に保持されることで、後支持板５０の前方で後支持板５０の前面と平行となる位置から前方へ揺動可能に連結されている。前支持板５１の左右の下部には、後方へ折曲される折曲片６０，６０が形成されて、この折曲片６０が後述する第２アーム７２の軸部７４に下方から当接することで、後支持板５０から上端が離れる図８，１１の前傾姿勢まで揺動可能となっている。加えて折曲片６０，６０は、後支持板５０，５０の外側に位置して後支持板５０，５０に当接することで左右のブレを規制する役割も果たしている。
また、前支持板５１の中央には、吸込筒８の内径と略同じ内径を有するリング状のパッキン６１が嵌着されている。パッキン６１の後面には、逆止弁６２が設けられると共に、パッキン６１の下半分には、後方へ突出する円弧状の受けリブ６３が形成されている。また、前支持板５１の後面でパッキン６１の外側には、シール材（ここではフェルト）６４が貼着されている。なお、パッキン６１は吸込筒８の後端に設けてもよい。
【００１８】
紙パック６５は、前支持板５１と略同じ大きさの四角形状で、中央に透孔６７を有して上端にツマミ片６８を備えた厚紙からなる台紙６６と、その台紙６６の後面に開口が接合された袋状のフィルタ部６９とからなる。この紙パック６５の台紙６６を、ホルダ４８の後支持板５０と前支持板５１との間に差し込んで台紙６６の両端を後支持板５０と前支持板５１とで挟持させて、フィルタ部６９を下板４９の上方にセットすることで、紙パック６５はホルダに保持される。
【００１９】
さらに、右側の後支持板５０の中間部と蓋４２の右側内面との間には、第１アーム７１及び第２アーム７２からなる連係手段としての連係アーム７０が架設されている。このうち第１アーム７１の上端は蓋４２側の軸部７３に、第２アーム７２の下端は後支持板５０側の軸部７４にそれぞれ回転可能に連結されて、第１アーム７１の下端と第２アーム７２の上端とが回転可能に連結されて、蓋４２の開閉動作に伴い、連係アーム７０を介してホルダ４８をガイド溝５５に沿って前後へスライド可能としている。
【００２０】
すなわち、蓋４２の閉塞位置では、第１、第２アーム７１，７２同士の連結部分は後方にあって連係アーム７０は折り畳まれ、ホルダ４８は、図３及び図９に示すように後軸５４がガイド溝５５の後端に位置して下板４９が集塵室４０の底面に近接する収容位置となる。この収容位置では、前支持板５１が吸込筒８の後方に位置してパッキン６１を吸込筒８の後端に当接させる。よって、紙パック６５の台紙６６も、前支持板５１の後方に位置して透孔６７をパッキン６１の後方に位置させる。一方、蓋４２の開放位置では、第１、第２アーム７１，７２間の角度が広がって連係アーム７０が伸長し、ホルダ４８の前部を引っ張るため、後軸５４がガイド溝５５の前端に位置して、図７，８に示すように、ホルダ４８は開口４１から前方上向きに突出した突出位置となる。
【００２１】
一方、蓋４２の内面には、図９，１０に示すように、閉塞位置でホルダの後支持板５０の上部後面に当接して後支持板５０を前支持板５１側へ押圧する押圧部としての左右一対の押圧片７５，７５が突設されている。この押圧片７５によって後支持板５０が後方から押圧されることで、台紙６６と共に前支持板５１のパッキン６１も吸込筒８に押圧される。よって、パッキン６１及び台紙６６の密着性が維持される。
また、各押圧片７５の外側には、蓋４２の閉塞位置で後支持板５０の外側に当接する規制部としての規制片７６が一体に形成されている。この規制片７６により、押圧片７５によって押圧される後支持板５０が左右外側にずれることがなく、台紙６６を後方から確実に押圧して台紙６６の脱却を防止できる。
【００２２】
さらに、押圧片７５，７５の間には、干渉体としてのカム７７が、左右の軸７８を中心に回転可能に保持されて、蓋４２の内面と、カム７７の後部に延設した受け片７９の上面との間に設けた付勢手段としてのコイルバネ８０により、図１０に示すように、前側上部に設けた規制部８１が蓋４２の内面に設けた突起部８２に当接する第１の位置に回転付勢されている。この第１の位置のまま蓋４２を前方へ回転させると、図１０に示すように、カム７７の前側下部から下向きに突設した当接片８３が、開口４１の前端際で半割ハウジング２ａ，２ｂをネジ止めするネジボス８４に当接して、閉塞位置への移動が規制されるようになっている。
【００２３】
但し、紙パック６５をホルダ４８に装着した状態では、当接片８３がネジボス８４に当接する前に、上方へ突出する台紙６６のツマミ片６８が当接片８３の後方から受け片７９の下面に当接し、カム７７をコイルバネ８０の付勢に抗して図１０で右回転させる。よって、図３に示すように、当接片８３はネジボス８４の後方へ移動してネジボス８４と当接せず、蓋４２の閉塞位置への移動を許容する第２の位置となる。このように蓋４２側へカム７７を設けることで、ハウジング２側へ余計な構成部が付加されず、紙パック６５の装着に支障を来さない。また、当接片８３が当接する相手側をネジボス８４としたことで、半割ハウジング２ａ，２ｂのネジ止め用の構成部を利用した合理的な構成となり、カム当接用の突起等を新たに設ける必要がなくなってハウジング２の形状が簡略化及び軽量化する。
【００２４】
以上の如く構成されたクリーナ１においては、前述のようにホルダ４８に紙パック６５を装着して蓋４２を閉塞位置へ回転させた状態で、グリップハウジング５に設けた操作スイッチ１８のＯＮボタン１９を押し操作すると、バッテリーパック９から電源が供給されてモータ１６が駆動する。よって、回転軸２５及びファン３３が回転し、吸込筒８から外気が吸引されて集塵室４０内の紙パック６５を通過し、バッフル体３４の突出部３６を通ってファン３３に至る。ファン３３の外周に送り出された空気は、バッフル体３４によって後方へ向きを変え、ベース２７の内リング２８と外リング２９との間からリブ３０の間を通って整流されて後方へ流れ、排気口３８から外部へ排出される。この空気の流れにより、吸込筒８から外気と共に吸い込まれた塵埃は、紙パック６５で捕捉されてフィルタ部６９内に貯留する。なお、ここでは、ベース２７の上部を通過した空気は制御回路基板１５に沿って流れるため、この空気流によって制御回路基板１５も冷却される。また、送風ユニットＵがゴムカバー３７を介してハウジング２に弾性保持されているので、ファン３３の回転によって生じた振動がハウジング２に伝わりにくくなっている。
【００２５】
そして、溜まった塵埃を廃棄する際は、前述のようにボタン４８を押し込み操作すると、ストッパ４６の係止が解除されて蓋４２が開放位置へ回転する。これと同時に、連係アーム７０を介してホルダ４８が開口４１から前方上向きに引き出されるため、紙パック６５も前方上向き姿勢で露出する。よって、ツマミ片６８を把持して台紙６６を上方へ持ち上げれば、紙パック６５をホルダ４８から取り外して廃棄することができる。このとき、蓋４２の開放によって押圧片７５による後支持板５０の押圧が解かれると共に、前支持板５１も吸込筒８から上方へ離れているので、図１１に示すように、前支持板５１を折曲片６０が軸部７４に当接する前傾姿勢へ傾倒させて台紙６６をスムーズに取り出すことができる。また、紙パック６５は上向き姿勢で取り出されるため塵埃がこぼれることもない。
【００２６】
新しい紙パックを装着する際は、図１１の状態から台紙６６を後支持板５０と前支持板５１との間に差し込んでフィルタ部６９を下板４９の上部にセットし、蓋４２を閉塞位置へ回転させると、前述のように蓋４２の閉塞動作と共に連係アーム７０を介してホルダ４８が後方下側へ引き込まれる。すると、前支持板５１が吸込筒８に当接して後方へ揺動して台紙６６に当接すると共に、蓋４２の押圧片が後支持板５０を後方から押圧する。よって、紙パック６５の台紙６６が、後支持板５０と前支持板５１との間で密着状態で挟持されて受けリブ６３が透孔６７を貫通した状態でホルダ４８に保持される。なお、紙パック６５を装着することなく蓋４２を閉塞側へ回転させると、前述のように第１の位置のカム７７の当接片８３がネジボス８４に当接して閉塞位置への回転が規制されるため、使用者は紙パック６５が未装着であることが容易に理解でき、そのまま使用することはない。
【００２７】
このように、上記形態のクリーナ１によれば、集塵室４０に、紙パック６５を保持可能で、集塵室４０内に収容される収容位置と、開口４１から前方へ斜め上向きに突出する突出位置との間で移動可能なホルダ４８を設けて、蓋４２とホルダ４８との間に、蓋４２による開口４１の開放動作に連動してホルダ４８を突出位置へ移動させ、開口４１の閉塞動作に連動してホルダ４８を収容位置へ移動させる連係アーム７０を設けたことで、蓋４２を開けた際にはホルダ４８が紙パック６５と共に開口４１から突出する突出位置へ自動的に移動するので、紙パック６５の着脱を容易に行うことができ、使い勝手に優れたものとなる。
【００２８】
特にここでは、ホルダ４８は、収容位置で台紙６６を前後から挟持して透孔６７を吸込筒８の後方に位置させる前支持板５１と後支持板５０とを前端に有し、前支持板５１は、下端がホルダ４８の前端へ回転可能に軸着されて突出位置では台紙６６から前方へ離れる前傾姿勢に移動可能であるので、台紙６６をスムーズに前支持板５１と後支持板５０との間に出し入れできる。よって、紙パック６５の着脱に係る操作性がより良好となる。
また、前支持板５１の後面に、台紙６６の透孔６７の下半分に沿って貫通する円弧状の受けリブ６３を設けたことで、前支持板５１と台紙６６との間への塵埃の侵入を防止でき、紙パック６５で確実に集塵できる。
【００２９】
さらに、蓋４２に、開口４１の閉塞位置で後支持板５０に当接して後支持板５０を前方へ押圧する押圧片７５を設けたことで、台紙６６と前支持板５０と吸込筒８との密着性が高まって集塵効率の向上に繋がる。
併せて、押圧片７５に、後支持板５０の外側面に当接して後支持板５０の外側への移動を規制する規制片７６を設けたことで、後支持板５０を確実に台紙６６へ押圧でき、台紙６６の脱却のおそれを低減できる。
【００３０】
そして、蓋４２に、開口４１の閉塞動作の際にハウジング２のネジボス８４に当接して開口４１の閉塞を阻止する第１の位置と、ネジボス８４と当接せずに開口４１の閉塞を許容する第２の位置とに移動可能なカム７７を設けると共に、カム７７をコイルバネ８０によって第１の位置へ付勢して、ホルダ４８に紙パック６５が保持されている際には、台紙６６がカム７７に当接して第２の位置へ移動させるようにしたことで、紙パック６５が未装着状態での蓋４２の閉塞を阻止してクリーナ１の使用を確実に防止できる。
【００３１】
なお、連係アームは右側であってもよいし、左右両側にあってもよい。アームの数も２つに限らず、３つ以上で形成することもできるし、ホルダの連動が可能であればアーム以外で連係手段を形成することも可能である。
ホルダの構造も、下板を一枚板としたり、後支持板をフラップでなく前後へスライド可能に設けて、突出位置では紙パックをホルダよりも前方へ引き出せるようにしたり、左右に後軸を設けてハウジングにも左右にガイド溝を設けたり等、適宜変更可能である。ガイド溝を省略してその場でホルダをリフトアップさせるような構造も採用できる。また、前支持部と後支持部とに分けずに、平面視がコ字状の保持部を下板の左右に立設して台紙の両端を保持部間に保持させるような構造も採用可能である。この場合、逆止弁は吸込筒の後端に設けられる。
【００３２】
一方、受けリブや押圧部、規制部の形状も上記押圧片や規制片に限らず、例えば押圧部を左右で繋がる一体形状としたり、規制部を後支持部の内側にも設けて左右で移動を規制するようにしたり、押圧部と規制部とをそれぞれ別体に設けたり等、適宜変更可能である。受けリブや押圧部及び規制部の省略も可能である。
干渉体もカムの形状は適宜変更可能で、第１の位置と第２の位置とを逆にしたり、本体側の当接部としてネジボス以外の突起等を新たに設けたり、回転移動に代えてスライド移動の干渉体を採用したり等、上記形態に限定されない。
【００３３】
その他、クリーナの形態も、モータをブラシレスモータとしたり、バッテリーパックの装着位置を変更したり、バッテリーパックに代えて交流電源を利用するものとしたり等、適宜設計変更して差し支えない。集塵パックも紙製に限らず、集塵部に対して着脱できるタイプであれば布製等も使用できる。
【符号の説明】
【００３４】
１・・クリーナ、２・・ハウジング、３・・ネジ、４・・モータハウジング、５・・グリップハウジング、６・・集塵ハウジング、７・・バッテリ保持ハウジング、８・・吸込筒、８ａ・・吸込口、９・・バッテリーパック、１６・・モータ、１８・・操作スイッチ、２５・・回転軸、２７・・ベース、３３・・ファン、３４・・バッフル体、３７・・ゴムカバー、３８・・排気口、４０・・集塵室、４１・・開口、４２・・蓋、４８・・ホルダ、４９・・下板、５０・・後支持板、５１・・前支持板、５４・・後軸、５５・・ガイド溝、５８・・前軸、６０・・折曲片、６１・・パッキン、６３・・受けリブ、６５・・紙パック、６６・・台紙、６８・・ツマミ片、６９・・フィルタ部、７０・・連係アーム、７１・・第１アーム、７２・・第２アーム、７３，７４・・軸部、７５・・押圧片、７６・・規制片、７７・・カム、８０・・コイルバネ、８３・・当接片、８４・・ネジボス、Ｕ・・送風ユニット。
【図１】
2016087309.tif 000003
【図２】
2016087309.tif 000004
【図３】
2016087309.tif 000005
【図４】
2016087309.tif 000006
【図５】
2016087309.tif 000007
【図６】
2016087309.tif 000008
【図７】
2016087309.tif 000009
【図８】
2016087309.tif 000010
【図９】
2016087309.tif 000011
【図１０】
2016087309.tif 000012
【図１１】
2016087309.tif 000013